(57)【要約】【課題】アダプタに照明器具本体を取付ける場合や取外す場合、導光板を取外すことなく作業が行え、簡単な構成で、かつ薄型化が可能な照明器具を提供する。【解決手段】本発明は、器具取付面Ｃに設置された配線器具Ｃｂに電気的かつ機械的に接続されるアダプタ２と、このアダプタ２に対向して略中央部に開口８１を有し、外周部に光入射端面８２を備えた導光板８と、この導光板８の前記光入射端面８２に出射光が入射するように配設された発光素子７１と、この発光素子７１を点灯制御する点灯装置３とを備えて前記アダプタ２に取付けられる器具本体１とを備える照明器具である。【選択図】図２１
2012069511.tif 000002
【特許請求の範囲】
【請求項１】
器具取付面に設置された配線器具に電気的かつ機械的に接続されるアダプタと；
このアダプタに対向して略中央部に開口を有し、外周部に光入射端面を備えた導光板と、この導光板の前記光入射端面に出射光が入射するように配設された発光素子と、この発光素子を点灯制御する点灯装置とを備えて前記アダプタに取付けられる器具本体と；
を具備することを特徴とする照明器具。
【請求項２】
前記器具本体は、一端側に前記導光板の背面側に対向する当接部が形成され、他端側に前記アダプタが挿通する開口が形成されたセンターシャーシを具備することを特徴とする請求項１に記載の照明器具。
【請求項３】
前記センターシャーシにおける当接部は、導光板の開口の周囲に配設されていることを特徴とする請求項２に記載の照明器具。
【請求項４】
前記センターシャーシは箱状に形成されていて、その側壁には、前記点灯装置に接続された電源コネクタが導出される導出口が形成されていることを特徴とする請求項２又は請求項３に記載の照明器具。
【請求項５】
前記器具本体は、導光板の開口に対向する開口を有し、導光板の背面側を支持する支持面が形成されたサポートシャーシを具備することを特徴とする請求項１乃至請求項４のいずれか一に記載の照明器具。
【請求項６】
前記導光板における開口は、角形の角部を面取りした形状又は円形状であることを特徴とする請求項１乃至請求項５のいずれか一に記載の照明器具。
【請求項７】
前記発光素子は、直線状に並べられて配設されているとともに、直線状に並べられている当該直線と直交し、かつ前記導光板の開口における外形と接する線上に位置していることを特徴とする請求項１乃至請求項６のいずれか一に記載の照明器具。
【発明の詳細な説明】
【技術分野】
【０００１】
本発明の実施形態は、発光ダイオード（以下、ＬＥＤと称する。）等の発光素子を光源として、導光板を用いて照明を行う照明器具に関する。
【背景技術】
【０００２】
近時、ＬＥＤの高出力化、高効率化に伴い、光源としてＬＥＤを用いた屋内又は屋外で使用される長寿命化が期待できる照明器具が開発されている。この照明器具は、ＬＥＤを基板に複数実装して所定の明るさを得るようにしたもので、例えば、天井面等に直接的に取付けられる、いわゆる直付タイプのベース照明として用いられている。
【０００３】
しかし、ＬＥＤから出射される光は指向性が強くグレアが生じやすく、また、輝度むらが発生しやすい。そこで、グレアを抑制し、発光面の均一性の向上を図るため、導光板を用いて照明を行う新たな照明器具が開発されている（例えば、特許文献１及び特許文献２参照）。
【０００４】
このような照明器具の場合、例えば、一般住宅用として天井面に設置された配線器具である引掛けシーリングボディにアダプタが電気的かつ機械的に接続され、このアダプタに照明器具本体が取付けられる形式のものでは、照明器具本体の下方における略全面が導光板で覆われるようになる。
【先行技術文献】
【特許文献】
【０００５】
【特許文献１】特開２００９−２１２００号公報
【特許文献２】特開２００９−２８３１９７号公報
【発明の概要】
【発明が解決しようとする課題】
【０００６】
しかしながら、上記のような照明器具において、アダプタに照明器具本体を取付ける場合や取外す場合、アダプタの操作等のために、導光板を取外して作業を行わなければならない。
【０００７】
この種、導光板を用いる照明器具では、ＬＥＤ等の光源から出射される光が導光板の光入射端面に入射するように、光入射端面とＬＥＤ等の光源とを対向配置する必要があるため、前記作業が伴う場合には、その構成が複雑化するという問題が生じる。
【０００８】
本発明は、上記課題に鑑みなされたもので、アダプタに照明器具本体を取付ける場合や取外す場合、導光板を取外すことなく作業が行え、簡単な構成で、かつ薄型化が可能な照明器具を提供することを目的とする。
【課題を解決するための手段】
【０００９】
本発明の一実施形態による照明器具は、器具取付面に設置された配線器具に電気的かつ機械的に接続されるアダプタと、このアダプタに取付けられる器具本体とを備えている。器具本体は、アダプタに対向して略中央部に開口を有し、外周部に光入射端面を備えた導光板と、この導光板の前記光入射端面に出射光が入射するように配設された発光素子と、この発光素子を点灯制御する点灯装置とを備えている。
【発明の効果】
【００１０】
本発明の一実施形態によれば、アダプタに照明器具本体を取付ける場合や取外す場合、導光板を取外すことなく作業が行え、簡単な構成で、かつ薄型化が可能な照明器具を提供することができる。
【図面の簡単な説明】
【００１１】
【図１】本発明の第１の実施形態に係る照明器具を示す斜視図である。
【図２】同照明器具を分解して示す斜視図である。
【図３】同器具本体を背面側から見て示す斜視図である。
【図４】図３中、Ｘ−Ｘ線に沿って示す断面図である。
【図５】図４中、Ａ部を示す拡大図である。
【図６】図４中、Ｂ部を示す拡大図である。
【図７】同器具本体のセンターシャーシを示す斜視図である。
【図８】同器具本体のセンターシャーシを示す平面図である。
【図９】同器具本体の導光板を示す平面図である。
【図１０】同器具本体の発光素子が実装された基板を示し、（ａ）は正面図、（ｂ）は上側面図である。
【図１１】同照明器具の天井面への取付状態を示す断面図である。
【図１２】同じく、照明器具の天井面への取付完了状態を示す断面図である。
【図１３】本発明の第２の実施形態に係る照明器具を示す斜視図である。
【図１４】同照明器具を分解して示す斜視図である。
【図１５】同器具本体を背面側から見て示す斜視図である。
【図１６】同器具本体を背面側から見て示す平面図である。
【図１７】同器具本体をアダプタに取付けた状態において、カバー部材を取外し前面側から見て示す平面図である。
【図１８】同器具本体を示す断面図である。
【図１９】図１８中、Ａ部を示す拡大図である。
【図２０】図１８中、Ｂ部を示す拡大図である。
【図２１】同照明器具の天井面への取付状態を示す断面図である。
【図２２】同器具本体の点灯装置を前面側から見て示す斜視図である。
【図２３】同器具本体のセンターシャーシ及びアダプタガイドを示す斜視図である。
【図２４】点灯装置側の電源コネクタとアダプタ側の電源コネクタとの接続関係を説明するための斜視図である。
【図２５】同じく、点灯装置側の電源コネクタとアダプタ側の電源コネクタとの接続関係を説明するための斜視図である。
【発明を実施するための形態】
【００１２】
本実施形態の照明器具は、器具取付面に設置された配線器具としての引掛けシーリングボディに取付けられて使用される形式であり、導光板を用いて例えば、室内の照明を行うものである。
【００１３】
以下、本発明の第１の実施形態について図１乃至図１２を参照して説明する。各図においてリード線等による配線接続関係は省略して示している場合がある。なお、各図において同一部分には同一符号を付し、重複した説明は省略する。
【００１４】
図１乃至図４において、照明器具は、器具本体１及び器具取付面としての天井面Ｃに設置された引掛けシーリングボディＣｂに電気的かつ機械的に接続されるアダプタ２（図２及び併せて図１０参照）とを備えている。器具本体１は、図１に示すように略正方形状の外観に形成され、前面側を光の照射面とし、背面側を天井面Ｃへの取付面としている。
【００１５】
図２に代表して示すように、器具本体１は、点灯装置３と、サポートシャーシ４と、センターシャーシ５と、アダプタガイド６と、光源部７と、導光板８と、本体枠９と、カバー部材１０とを備えている。これら構成要素について順次説明する。
【００１６】
点灯装置３は、箱状のケース内に回路基板及びこの基板に実装された回路部品を収容して構成されており、アダプタ２を介して商用交流電源に接続されるようになっていて、この交流電源を受けて直流出力を生成するものである。したがって、点灯装置３は、後述する光源部７に電気的に接続されて、その直流出力を発光素子７１に供給し、発光素子７１を点灯制御するようになっている。この点灯装置３は、サポートシャーシ４の背面側に位置して取付けられている（図３参照）。
【００１７】
サポートシャーシ４は、アルミニウム等の金属材料から略正方形状に形成されており、正方形状の浅皿状の凹部４１を有し、この凹部４１の各辺には外側に延出する取付片４２が形成されている。また、凹部４１の前面側は、反射面として構成されており、さらに、略中央部には、四角形状の開口４３が形成されている。したがって、サポートシャーシ４は、反射板としての機能を有している。
【００１８】
センターシャーシ５は、図５、図７及び図８の参照を加えて示すように、冷間圧延鋼板等の金属材料から略直方体の箱状に形成されており、一端側（図示上、下側）を開放し、この開放した各辺には外側に向かって水平方向に延出する鍔状の当接部５１が形成されている。また、他端側（図示上、上側）には、円形状の開口５２が形成されている。したがって、センターシャーシ５は、全体としては高さの低い略筒状をなしている。当接部５１は、導光板８の背面側に当接される部分であり、開口５２は、アダプタ２が挿通される部分である。そして、図５に示すように、センターシャーシ５の当接部５１の上面側に、サポートシャーシ４における開口４３の周辺部が重合されるように配置され、こられが溶接等によって固着されている。なお、センターシャーシ５の当接部５１は、後で詳述するように導光板８を補強する機能を有している。
【００１９】
また、センターシャーシ５の側壁における他端側には、前記点灯装置３に接続された図示しない電源コネクタが導出される導出口５３が略四角形状に切欠かれて形成されている。
【００２０】
アダプタガイド６は、図５の参照を加えて示すように、略八角柱状に形成されていて、中央部にアダプタ２が挿通し、係合する係合口６１が設けられており、下端側に外方へ向かう鍔部６２が形成されている。このアダプタガイド６は、その外周面がセンターシャーシ５の内周面に接するように配設され取付けられている。アダプタガイド６には、センターシャーシ５の導出口５３に対応した開口が設けられている。
【００２１】
光源部７は、図２、図４、図６及び図１０に示すように、発光素子７１が実装された基板７２と、この基板７２が取付けられる取付部材としての取付板７３とから構成されている。
【００２２】
基板７２は、図１０に代表して示すように、横長の長方形状で両端が切欠かれて段状に形成されていて、絶縁材であるガラスエポキシ樹脂の平板からなり、表面側には銅箔で形成された配線パターンが施されている。また、配線パターンの上に適宜レジスト層が積層されて施されるようになっている。なお、基板７２の材料は、絶縁材とする場合には、セラミックス材料又は合成樹脂材料を適用できる。さらに、金属製とする場合は、アルミニウム等の熱伝導性が良好で放熱性に優れたべース板の一面に絶縁層が積層された金属製のべース基板を適用してもよい。
【００２３】
発光素子７１は、ＬＥＤであり、表面実装型のＬＥＤパッケージである。このＬＥＤパッケージが基板７２の長手方向に沿って直線状に並べられて複数個、具体的には１５個実装され配設されている。ＬＥＤパッケージは、概略的にはセラミックスや合成樹脂で形成されたキャビティに配設されたＬＥＤチップと、このＬＥＤチップを封止するエポキシ系樹脂やシリコーン樹脂等のモールド用の透光性樹脂とから構成されている。
【００２４】
ＬＥＤチップは、青色光を発光するＬＥＤチップである。透光性樹脂には、蛍光体が混入されており、白色光を出射できるようにするために、青色の光とは補色の関係にある黄色系の光を放射する黄色蛍光体が使用されている。
【００２５】
なお、ＬＥＤは、ＬＥＤチップを直接基板７２に実装するようにしてもよく、また、砲弾型のＬＥＤを実装するようにしてもよく、実装方式や形式は、格別限定されるものではない。
【００２６】
取付板７３は、アルミニウムや亜鉛めっき鋼板等の熱伝導が良好な材料から作られており、横長で側面が略Ｃ型チャンネル形状に形成されている。この取付板７３の内側壁には、２枚の基板７２が、ねじ止め等によって、その裏面側が密着するように長手方向に並べられて取付けられている。したがって、光源部７は、一つの取付板７３に２枚の基板７２が取付けられてユニット化されている。
本実施形態では、主として図２に示すように、このユニット化された光源部７が４個用いられており、導光板８の各辺に対応して配設されるようになっている。
【００２７】
導光板８は、図９に示すように、アクリル樹脂等の透過率の高い材料を用いて四角形状の平板状に形成され、背面側には光を拡散する多数の白色の反射ドットからなるドットパターンが印刷によって形成されている。さらに、導光板８の略中央部には、アダプタガイド６の外形と対応し、また、アダプタ２と対応するように略八角形の開口８１が形成されている。この略八角形の開口８１は、原型的には、四角形の角部を面取りした形状として形成されている。また、この導光板８の外周部である四角形状の各辺、すなわち、側端面は、発光素子７１から出射される光が入射して導光板８内を進行する光入射端面８２として機能するようになっている。
なお、導光板８には、背面側に反射シートを設けたものや前面側に拡散シートを設けたものを適宜適用できる。
【００２８】
このような導光板８の各辺には、光源部７の基板７２が配設されるようになる。つまり、導光板８の光入射端面８２に光が入射するように、複数の発光素子７１が基板７２に直線状に並べられて配設されている。また、この場合、導光板８における開口８１を形成している外形の辺の延長線上に発光素子７１が配置されるようになっている。換言すれば、発光素子７１が基板７２に直線状に並べられて配設されている当該直線と直交し、かつ導光板８の開口８１における外形と接する線上に発光素子７１が位置されるようになっている。
【００２９】
本体枠９は、ＡＢＳ樹脂やポリカーボネート等の合成樹脂から作られていて、略正方形状であって前記導光板８の寸法より大きな枠状に形成されており、側壁９１と、この側壁９１の下端部から内側に向かって延出し、斜めに立ち上がる傾斜状部を有する底壁９２とを備えている。また、底壁９２には、複数のボス９３が立設されており、このボス９３には、サポートシャーシ４の取付片４２がねじ止めされるようになっている。
【００３０】
カバー部材１０は、アクリル樹脂やポリカーボネート等の乳白色を呈する合成樹脂材料から略正方形状に形成されており、図示しない係脱手段によってアダプタガイド６に着脱自在に取付けられるようになっている。したがって、カバー部材１０が取付けられることによって、アダプタ２は覆われて下方から視認しにくくすることができる。
【００３１】
アダプタ２は、図２及び図１１に示すように、天井面Ｃに設置された引掛けシーリングボディＣｂに、上面側に設けられた引掛刃によって電気的かつ機械的に接続されるもので略円筒状をなし、周壁の両側には一対の係止部２１が、内蔵されたスプリングによって常時外周側へ突出するように設けられている。この係止部２１は下面側に設けられたレバーを操作することにより没入するようになっている。また、このアダプタ２からは、前記点灯装置３へ接続する電源コード２２が導出されていて、点灯装置３とコネクタ２３を介して接続されるようになっている。
【００３２】
次に、上記のように構成された器具本体１の組立工程について、主として図４乃至図６を参照して説明する。前述したように、センターシャーシ５は、その当接部５１の上面側に、サポートシャーシ４の開口４３の周辺部が重合されるように配置され、この部分でサポートシャーシ４と溶接等によって固着される。そして、光源部７の取付板７３がサポートシャーシ４にねじ止めされ、導光板８がその光入射端面８２が発光素子７１と対向するように配設される。
【００３３】
次いで、アダプタガイド６が導光板８の開口８１を挿通してその外周面がセンターシャーシ５の内周面に接するように挿入され、上面がセンターシャーシ５の他端面にねじ止めされる。この状態で、サポートシャーシ４の取付片４２を本体枠９の複数のボス９３にねじ止めし、カバー部材１０をアダプタガイド６に取付ける。
以上によって器具本体１の組立てが完成するが、この組立ての順序は格別限定されるものではない。
【００３４】
このような器具本体１において、図５に代表して示すように、センターシャーシ５の当接部５１は、導光板８の背面側に当接されている。より詳しくは、センターシャーシ５の当接部５１は、導光板８の背面側であって開口８１の周囲に配設され当接されるようになっている。なお、センターシャーシ５の当接部５１の導光板８の背面側への当接は、直接的に行われても間接的に行われてもよい。
【００３５】
なお、本実施形態では、センターシャーシ５の当接部５１の上面側に、サポートシャーシ４の開口４３の周辺部が重合されるように配置される形態を示しているが、反対に、サポートシャーシ４の開口４３の周辺部の上面側に、センターシャーシ５の当接部５１が重合されるように配置される形態であってもよい。この場合にもセンターシャーシ５の当接部５１は、導光板８の背面側に間接的に当接されることとなる。つまり、センターシャーシ５の当接部５１における導光板８の背面側への当接は、直接的に行われても間接的に行われてもよい。
【００３６】
また、図５に代表して示すように、導光板８における開口８１の前面側の周縁部は、アダプタガイド６の下端側の鍔部６２に支持されている。さらに、図６に代表して示すように、導光板８の前面側の外周縁部は、本体枠９における底壁９２の傾斜状部に支持されている。一方、導光板８の背面側には、サポートシャーシ４が配設されており、導光板８は、サポートシャーシ４と、前記アダプタガイド６の鍔部６２及び本体枠９の底壁９２の傾斜状部とによって挟持されるように配置されている。この状態においては、導光板８の光入射端面８２は、発光素子７１と対向して位置し、発光素子７１から出射される光が入射するようになっている。
【００３７】
また、図３、図４及び図６に示すように、本体枠９の側壁９１と、サポートシャーシ４の取付片４２との間には、間隙Ｇが形成されるようになっている。つまり、サポートシャーシ４の外形は、枠状の本体枠９より小さく形成されていて、サポートシャーシ４の全周にわたって間隙Ｇが形成されるようになっている。この間隙Ｇによって発光素子７１から発生する熱が取付板７３を介して対流作用で放熱される。なお、この対流作用を促進するため、本体枠９の底壁９２に空気流通孔を形成するようにしてもよい。
次に、上記のように構成された照明器具の天井面Ｃへの取付状態について、図１１及び図１２を参照して説明する。
【００３８】
図１１に示すように、天井面Ｃに引掛けシーリングボディＣｂが設置されている。また、この引掛けシーリングボディＣｂには、アダプタ２が電気的かつ機械的に接続されている。この状態から図示矢印で示すように、器具本体１におけるアダプタガイド６の係合口６１をアダプタ２に合わせながら、アダプタ２の係止部２１がアダプタガイド６の係合口６１に確実に係合するまで器具本体１を下方から手で押し上げて取付け操作を行う。
【００３９】
図１２に示すように、器具本体１の取付状態では、アダプタ２がセンターシャーシ５の開口５２を挿通し、アダプタ２の係止部２１がアダプタガイド６の係合口６１に係止され、サポートシャーシ４の背面側に設けられたスポンジ製のパッキンＰが弾性変形し、サポートシャーシ４の背面側と天井面Ｃとの間に圧縮状態で介在されるようになる。
【００４０】
したがって、器具本体１は、アダプタ２にがたつきなく、しっかりと係合し、安定して取付状態が保持される。電気的接続は、アダプタ２のコネクタ２３をアダプタガイド６及びセンターシャーシ５の導出口５３等を介して点灯装置３に接続されたコネクタと接続することによって行われる。
【００４１】
また、器具本体１を取外す場合には、上記電気的接続を解除した後、カバー部材１０を取外し、アダプタ２に設けられているレバーを操作してアダプタ２の係止部２１の係合を解くことにより取外すことができる。
【００４２】
このような器具本体１において、導光板８には開口８１が形成されていて、アダプタガイド６の係合口６１を含めて器具本体１の下方における略全面を覆ってしまうような構成とはなっていない。したがって、器具本体１の取付け、取外し操作に際し、アダプタ２の操作等のために、導光板８を器具本体１から取外すことなく作業を行うことができる。加えて、アダプタガイド６は、導光板８の開口８１を挿通して取付けられるようになっているので、器具本体１の薄型化が可能となる。
【００４３】
また、器具本体１の取付け操作において、器具本体１を下方から手で押し上げる際に、導光板８を手で押し上げて応力を加え、導光板８を変形させてしまう虞がある。特に、本実施形態のように、導光板８に、アダプタ２を操作するため、アダプタ２と対応するように開口８１が形成されている場合には、開口８１が形成されていない導光板に比し強度的に弱くなる傾向となる。
【００４４】
しかしながら、本実施形態においては、センターシャーシ５に導光板８の背面側に対向する当接部５１が形成されており、この当接部５１が導光板８の背面側に当接しているので、導光板８を補強する機能を果たし、導光板８の変形を抑制することができる。さらに、当接部５１は、導光板８の開口８１の周囲に配設されるようになっているので、導光板８の変形の抑制を有効に行うことができる。
【００４５】
また、センターシャーシ５の当接部５１は、導光板８の背面側を支持するサポートシャーシ４における開口４３の周囲に重合され当接されるので、サポートシャーシ４を補強する機能も有している。このため、サポートシャーシ４の変形抑制、ひいては導光板８の変形の抑制を確実なものとすることができる。さらに、センターシャーシ５は、箱状に形成されているのでサポートシャーシ４のリブ的作用をなし、補強効果が高く、平板状のサポートシャーシ４を有効に補強することが可能となる。
【００４６】
照明器具の取付け状態において、点灯装置３に電力が供給されると、基板７２を介して発光素子７１に通電され、各発光素子７１が点灯する。発光素子７１から出射された光は、導光板８の光入射端面８２へ入射し、この入射した光は、導光板８内で全反射して導光板８全体に広がるとともに、背面側に形成された反射ドットからなるドットパターンによって拡散反射されて均質化された光が前面側から放射される。また、導光板８から漏れた一部の光は、サポートシャーシ４の反射面によって反射され前面側に放射されて再利用されるようになる。
【００４７】
また、各発光素子７１から発生する熱は、基板７２裏面側から取付板７３に伝導され、本体枠９とサポートシャーシ４との間の間隙Ｇによって促進される対流作用で放熱される。さらに、取付板７３に伝導された熱は、サポートシャーシ４に伝導され、サポートシャーシ４の広い面積で効果的に放熱される。
【００４８】
以上のように本実施形態によれば、アダプタ２に対応して導光板８に開口８１を形成したので、アダプタ２に器具本体１を取付ける場合や取外す場合、導光板８を取外すことなく作業が行え、簡単な構成で、かつ薄型化が可能な照明器具を提供することができる。
また、導光板８を補強して変形を抑制できる照明器具を提供することが可能となる。
次に、本発明者は、導光板８における開口８１の形状に関わる輝度についてその均一性を調べた。
【００４９】
まず、四角形状の導光板８には、その中央部に四角形状の開口８１（上記実施形態における略八角形の開口８１に相当）が形成されている場合について調べた。導光板８の一辺の光入射端面８２には、基板７２に実装された発光素子７１が対向するように配設されている。
【００５０】
この場合、発光素子７１から出射された光は、開口８１へ向かって進行するとともに、前面側から放射されるが、開口８１における発光素子７１側の角部近傍に暗部が発生することが分かった。このため、導光板８全体としての均一性が低下する問題が生じる。
【００５１】
この現象は、開口８１の角部付近に向かった光は、角部による開口８１（空気層）が介在するため、その光が屈折し導光板８内への進行が妨げられ影が生じ、これが反映されることによるものと考えられる。
【００５２】
このような場合、導光板８における開口８１の形状を角形の角部を面とりした形状又は円形状とすることにより、暗部の発生を抑制し、均一性の低下を軽減できることが確認できた。なお、開口８１の形状が円形状とは、真円形状に限らず、楕円形状等を許容することを意味している。
【００５３】
また、上記のような導光板８における開口８１近傍に生じる暗部を抑制するために、導光板８における角形の開口８１を形成している外形の辺の延長線上に発光素子７１が配置されるようにしたり、発光素子７１が基板７２に直線状に並べられて配設されている当該直線と直交し、かつ導光板８の円形状の開口８１における接線上に発光素子７１が位置されるようにしてもよい。
【００５４】
さらに、導光板８、センターシャーシ５等の形状や形態は、上記実施形態に限定されるものではない。例えば、発光素子７１は、ＬＥＤや有機ＥＬ等の固体発光素子が適用できる。さらに、発光素子７１の個数は、特段限定されるものではない。
【００５５】
次に、本発明の第２の実施形態について図１３乃至図２５を参照して説明する。第１の実施形態と第２の実施形態とは、基本的な構成は共通しているが細部の構成において若干相違している。第２の実施形態は、第１の実施形態に対し、より具体的に構成を開示する関係にある。
【００５６】
各図においてリード線等による配線接続関係は省略して示している場合がある。なお、第１の実施形態と同一若しくは相当部分には同一符号を付し、重複した説明を省略又は簡略化している。
【００５７】
図１３乃至図１８において、照明器具は、器具本体１と、器具取付面としての天井面Ｃに設置された配線器具としての引掛けシーリングボディＣｂに電気的かつ機械的に接続されるアダプタ２（図１４及び併せて図２１参照）と、赤外線リモコン送信器Ｒとを備えている。器具本体１は、図１に示すように略正方形状の外観に形成され、前面側を光の照射面とし、背面側を天井面Ｃへの取付面としている。
【００５８】
図２に代表して示すように、器具本体１は、点灯装置３と、サポートシャーシ４と、センターシャーシ５と、アダプタガイド６と、光源部７と、導光板８と、本体枠９と、カバー部材１０とを備えている。また、複数の電気的補助部品が設けられた補助部品ユニットＳを備えている。
【００５９】
点灯装置３は、図１９及び図２２の参照を加えて説明するように、熱伝導性を有するアルミニウム等の金属製のケース部材３１に覆われるようになっており、このケース部材３１に取付けられて収容された回路基板３２と、この回路基板３２に実装された回路部品３３とを備えている。ケース部材３１は、略直方体形状の薄型の箱状に形成されていて、一長辺側と一短辺側には、当該辺に沿って外方に延出する鍔状の接続部３１ａが形成されている。また、一長辺側と対向する長辺側には、取付舌片３１ｂが延出して形成されている。
【００６０】
回路基板３２は、ガラスエポキシ樹脂等の絶縁材料からなり、略長方形の板状に形成されて、表面側には、制御用ＩＣ、コンデンサ、巻線部品、抵抗素子等の回路部品３３が実装されている。また、電源側（アダプタ２側）に接続される電源コネクタ３３ａ、光源部７を接続するための負荷接続用コネクタ３３ｂや補助部品ユニットＳを接続するためのハーネス３３ｃが設けられている。さらに、回路基板３２の裏面側には、スイッチング素子や表面実装部品等の比較的高さ寸法の小さい部品が実装されている。
【００６１】
このような回路基板２２は、図１９に代表して示すように、図示上、表面側を下側にして樹脂製固定具３２ａによってケース部材３１に取付けられている。樹脂製固定具３２ａは、先端がケース部材３１の背面側から前面側へ突出するように配置されていて、これが回路基板３２に形成された取付穴に圧入されるようになっている。図１５、図１６及び図１８に示すように、ケース部材３１は、回路基板３２より大きく形成されていて、回路基板３２の取付け状態では、回路基板３２は、鍔状の接続部３１ａ側と離反して配置されるようになっている。
【００６２】
以上のような点灯装置３は、後述するように電源コネクタ３３ａにアダプタ２側が電気的に接続されて、アダプタ２を介して商用交流電源に接続される。したがって、点灯装置３は、この交流電源を受けて直流出力を生成し、負荷接続用コネクタ３３ｂからリード線を介してその直流出力を光源部７に供給し、発光素子７１を点灯制御するようになっている。この点灯装置３は、サポートシャーシ４の背面側に位置して取付けられている。
【００６３】
サポートシャーシ４は、放熱部材を兼用しているもので、放熱部材として機能する。サポートシャーシ４は、熱伝導性を有するアルミニウム等の金属材料から比較的広い面積を有して略正方形状に形成されており、背面側に正方形状の浅皿状の凹部４１を有し、この凹部４１の各辺には外側に段状に屈曲して延出する取付片４２が形成されている。また、凹部４１の前面側は、導光板８を支持する支持面として構成されており、さらに、略中央部には、導光板８の開口８１と対向する四角形状の開口４３が形成されている。
【００６４】
センターシャーシ５は、前記サポートシャーシ４と一体的に連結されてシャーシ本体を構成するものである。センターシャーシ５は、冷間圧延鋼板等の金属材料から略直方体の箱状に形成されており、一端側（図示上、下側）を開放し、この開放した各辺には外側に向かって水平方向に延出する鍔状の当接部５１が形成されている。また、他端側（図示上、上側）には、円形状の開口５２が形成されている。
【００６５】
当接部５１は、導光板８の背面側にサポートシャーシ４を介して当接される部分であり、開口５２は、アダプタ２が挿通される部分である。そして、図１９に示すように、センターシャーシ５の当接部５１は、サポートシャーシ４における開口４３の周辺部に上から重合されるように配置され、こられが固定手段によって固着されている。このため、センターシャーシ５の当接部５１は、導光板８を補強する機能を有している。
【００６６】
また、センターシャーシ５の側壁における他端側には、前記点灯装置３に接続された電源コネクタ３３ａが導出される導出口５３が略四角形状に切欠かれて形成されている。
【００６７】
アダプタガイド６は、図１９の参照を加えて示すように、センターシャーシ５と同様に、全体としては高さの低い直方体形状に形成されていて、中央部にアダプタ２が挿通し、係合する係合口６１が設けられており、下端側に外方へ向かう鍔部６２が形成されている。このアダプタガイド６は、その外周面がセンターシャーシ５の内周面に接するように配設され取付けられている。また、アダプタガイド６の側壁には、前記センターシャーシ５の導出口５３に対応して導出口６３が形成されている。さらに、アダプタガイド６は、カバー部材１０が着脱可能に取付けられる着脱機構を備えている。
【００６８】
光源部７は、第１の実施形態と同様な構成であり、図１４、図１８乃至図２０に示すように、発光素子７１が実装された基板７２と、この基板７２が取付けられる取付部材としての取付板７３とから構成されている。
【００６９】
本実施形態では、主として図１４に示すように、ユニット化された光源部７が２個用いられており、導光板８の対向する二つの辺に対応して配設されるようになっている。なお、このユニット化された光源部７は、導光板８の各辺に対応するように配設してもよく、適宜設計に応じて選択することができる。
【００７０】
導光板８は、アクリル樹脂等の透過率の高い材料を用いて四角形状の平板状に形成され、背面側の全面には光を拡散する多数の白色の反射ドットからなるドットパターンが印刷によって形成されているとともに反射シートが設けられている。また、前面側の全面には、拡散シートが設けられている。さらに、導光板８の略中央部には、アダプタガイド６の外形と対応し、また、アダプタ２と対応するように四角形状の開口８１が形成されている。また、この導光板８の外周部である四角形状の各辺、すなわち、側端面は、発光素子７１から出射される光が入射して導光板８内を進行する光入射端面８２として機能するようになっている。
【００７１】
補助部品ユニットＳは、横長箱状のケース内にユニット基板及びこの基板に実装された複数の電気的補助部品を備えて構成されている。本実施形態における電気的補助部品は、赤外線リモコン信号受信部、常夜灯やチャンネル設定スイッチである。
【００７２】
この補助部品ユニットＳは、照明器具、すなわち、器具本体１の外周縁部、具体的には、本体枠９の外周縁部に配設される。したがって、導光板８の発光領域の外側に配設されるようになっている。このように構成された補助部品ユニットＳは、複数の電気的補助部品が集中化して設けられていて、本体枠９に取付けられるようになっている。
【００７３】
本体枠９は、ＡＢＳ樹脂やポリカーボネート等の合成樹脂から作られていて、略正方形状であって前記導光板８の寸法より大きな枠状に形成されており、図２０に示すように、側壁９１と、この側壁９１の下端部から内側に向かって斜め下方に延出し、さらに内側に向かって斜めに立ち上がる傾斜状部を有する底壁９２とを備えている。また、底壁９２には、複数のボス９３が立設されており、このボス９３には、サポートシャーシ４の取付片４２がねじ止めされるようになっている。
【００７４】
前記アダプタガイド６には、カバー部材１０が取付けられている。カバー部材１０は、図１８及び図２１の参照を加えて示すように、アクリル樹脂やポリカーボネート等の透光性を有する合成樹脂材料から略正方形状で前面側が凸となるように形成されている。また、前面側の表面には、拡散性の機能を果たす多数の凹凸が形成されている。このカバー部材１０は、前記係合口６１に対向して係合口６１を開閉可能に覆うようになっており、さらに、取外し可能になっている。
【００７５】
続いて、アダプタ２は、図１４及び図２１に示すように、天井面Ｃに設置された引掛けシーリングボディＣｂに、上面側に設けられた引掛刃によって電気的かつ機械的に接続されるもので略円筒状をなし、周壁の両側には一対の係止部２１が、内蔵されたスプリングによって常時外周側へ突出するように設けられている。この係止部２１は下面側に設けられたレバーを操作することにより没入するようになっている。
【００７６】
また、このアダプタ２からは、前記点灯装置３へ接続する電源コード２２が導出され、その先端部には電源コネクタ２３が接続されている。この電源コネクタ２３は、点灯装置３に接続されて導出された電源コネクタ３３ａと接続されるようになっている。アダプタ２側の電源コネクタ２３は、プラグ状の形態をなし、点灯装置３側の電源コネクタ３３ａは、ソケット状の形態をなしている。
このようなアダプタ２側の電源コネクタ２３と点灯装置３側の電源コネクタ３３ａとの接続構成について、主として図２３乃至図２５を参照して説明する。
【００７７】
まず、図２３に示すように、センターシャーシ５の内側にアダプタガイド６が、その外周面がセンターシャーシ５の内周面に接するように配設される。センターシャーシ５とアダプタガイド６とが組合わされた状態においては、図２４に示すように、センターシャーシ５の開口５２とアダプタガイド６の係合口６１とが対応し、また、センターシャーシ５の導出口５３とアダプタガイド６の導出口６３とが対応するようになる。
したがって、アダプタ２が係合口６１に係合可能となり、点灯装置３側の電源コネクタ３３ａが導出口５３、６３から導出可能となる。
【００７８】
より詳しくは、図２５に示すように点灯装置３の回路基板３２から電源コードによって接続された電源コネクタ３３ａが、導出口５３、６３からセンターシャーシ５及びアダプタガイド６の内側に導出されるようになる。そして、この電源コネクタ３３ａには、アダプタガイド６の係合口６１を挿通したアダプタ２側の電源コネクタ２３が接続される（図１７を併せて参照）。
【００７９】
赤外線リモコン送信器Ｒは、例えば、周波数３８ｋＨｚのパルス状の特定のコード化された赤外線リモコン制御信号を送信するもので、例えば、全光点灯ボタン、調光点灯ボタン、常夜灯ボタンや消灯ボタン等が設けられている。このリモコン送信器Ｒを補助部品ユニットＳ、すなわち、赤外線リモコン信号受信部に向けて操作することによって光源部７における発光素子７１の発光状態、つまり、全光点灯、調光点灯、消灯等の制御を行うことができる。
【００８０】
このように構成された照明器具において、図１８乃至図２０に代表して示すように、放熱部材として機能するサポートシャーシ４は、導光板８の背面側に配置され、本体枠９の複数のボス９３にねじ止めされて取付けられている。この状態では、サポートシャーシ４の取付片４２は、光源部７における取付板７３の上面に面接触して熱的に結合されるようになっている。したがって、取付片４２は、光源部７とサポートシャーシ４との熱的結合部となっている。
【００８１】
また、導光板８における開口８１の前面側の周縁部は、アダプタガイド６の下端側の鍔部６２に支持されている。図２０に代表して示すように、導光板８の前面側の外周縁部は、本体枠９における底壁９２の傾斜状部に支持されている。一方、前記のように導光板８の背面側には、サポートシャーシ４が配設されており、導光板８は、サポートシャーシ４と、前記アダプタガイド６の鍔部６２及び本体枠９の底壁９２の傾斜状部とによって挟持されるように配置されている。この状態においては、導光板８の光入射端面８２は、発光素子７１と対向して位置し、発光素子７１から出射される光が入射するようになっている。
次に、上記のように構成された照明器具の天井面Ｃへの取付状態について、図２１を参照して説明する。
【００８２】
天井面Ｃに引掛けシーリングボディＣｂが設置されている。また、この引掛けシーリングボディＣｂには、アダプタ２が電気的かつ機械的に接続されている。この状態でアダプタ２側の電源コネクタ２３を点灯装置３側の電源コネクタ３３ａに接続する。
【００８３】
その後、器具本体１におけるアダプタガイド６の係合口６１をアダプタ２に合わせながら、アダプタ２の係止部２１がアダプタガイド６の係合口６１に確実に係合するまで器具本体１を下方から手で押し上げて取付け操作を行う。
【００８４】
器具本体１の取付状態では、アダプタ２がセンターシャーシ５の開口５２を挿通し、アダプタ２の係止部２１がアダプタガイド６の係合口６１に係止され、サポートシャーシ４の背面側に設けられたスポンジ製のパッキンＰが弾性変形し、サポートシャーシ４の背面側と天井面Ｃとの間に圧縮状態で介在されるようになる。したがって、器具本体１は、アダプタ２にがたつきなく、しっかりと係合し、安定して取付状態が保持される。
【００８５】
このような器具本体１の取付け操作において、器具本体１を下方から手で押し上げる際に、導光板８を手で押し上げて応力を加え、導光板８を変形させてしまう虞がある。
【００８６】
しかしながら、センターシャーシ５に導光板８の背面側に対向する当接部５１が形成されており、この当接部５１が導光板８の背面側に当接しているので、導光板８を補強する機能を果たし、導光板８の変形を抑制することができる。
【００８７】
また、本実施形態においては、センターシャーシ５の当接部５１は、導光板８の背面側を支持するサポートシャーシ４における開口４３の周囲に重合され当接されるので、サポートシャーシ５を補強する機能も有している。このため、サポートシャーシ５の変形抑制、ひいては導光板８の変形の抑制を確実なものとすることができる。さらに、センターシャーシ５は、箱状に形成されているので補強効果が高く、平板状のサポートシャーシ５を有効に補強することが可能となる。
このようにセンターシャーシ５は、導光板８を補強する機能及び電源コネクタ３３ａを導出口５３によって導出する機能を併せもっているものである。
【００８８】
以上のように本実施形態によれば、アダプタ２に対応して導光板８に開口８１を形成したので、アダプタ２に器具本体１を取付ける場合や取外す場合、導光板８を取外すことなく作業を行うことができるとともに、薄型化が可能な照明器具を提供することができる。  また、導光板８を補強して変形を抑制できる効果を奏する。
【００８９】
本発明は、上記各実施形態の構成に限定されることなく、発明の要旨を逸脱しない範囲で種々の変形が可能である。また、上記各実施形態は、一例として提示したものであり、発明の範囲を限定することは意図していないものである。
【００９０】
上記各実施形態においては、四角形状に形成された導光板を用い、発光面が略四角形状に形成される場合について説明したが、例えば、導光板を六角形や八角形等に形成し、これらの各辺に対応して発光素子を配置するとともに、本体枠を円形状に形成し、導光板の発光面が円形状に露出するようにして、円形状の発光面が形成されるように構成することもできる。
【符号の説明】
【００９１】
１・・・器具本体、２・・・アダプタ、
３・・・点灯装置、４・・・サポートシャーシ、
５・・・センターシャーシ、６・・・アダプタガイド、
７・・・光源部、８・・・導光板、
９・・・本体枠、１０・・・カバー部材、
３３ａ・・・電源コネクタ、４１・・・当接部、
４３・・・サポートシャーシの開口、５３・・・導出口、
７１・・・発光素子、７２・・・基板、
７３・・・取付部材（取付板）、８１・・・導光板の開口、
８２・・・光入射端面、Ｃ・・・器具取付面（天井面）、
Ｃｂ・・・配線器具（引掛けシーリングボディ）、
【図１】
2012069511.tif 000003
【図２】
2012069511.tif 000004
【図３】
2012069511.tif 000005
【図４】
2012069511.tif 000006
【図５】
2012069511.tif 000007
【図６】
2012069511.tif 000008
【図７】
2012069511.tif 000009
【図８】
2012069511.tif 000010
【図９】
2012069511.tif 000011
【図１０】
2012069511.tif 000012
【図１１】
2012069511.tif 000013
【図１２】
2012069511.tif 000014
【図１３】
2012069511.tif 000015
【図１４】
2012069511.tif 000016
【図１５】
2012069511.tif 000017
【図１６】
2012069511.tif 000018
【図１７】
2012069511.tif 000019
【図１８】
2012069511.tif 000020
【図１９】
2012069511.tif 000021
【図２０】
2012069511.tif 000022
【図２１】
2012069511.tif 000023
【図２２】
2012069511.tif 000024
【図２３】
2012069511.tif 000025
【図２４】
2012069511.tif 000026
【図２５】
2012069511.tif 000027